(57)【要約】【課題】  本発明は釣竿ケースに関し、胴部の外部に設けたポケットの十分な容量を確保した釣竿ケースを提供することを目的とする。【解決手段】  請求項１に係る発明は、筒状に形成された胴部の、少なくともポケットを設けた部位を合成樹脂シートで形成した釣竿ケースに於て、上記ポケット内に、胴部の内方へ窪んだ凹状部を設けたことを特徴とする。  そして、請求項２に係る発明は、請求項１に記載の釣竿ケースに於て、凹状部は、合成樹脂シートを変形させて一体に形成したことを特徴とする。【選択図】    図３
2006149213.tif 000002
【特許請求の範囲】
【請求項１】
筒状に形成された胴部の、少なくともポケットを設けた部位を合成樹脂シートで形成した釣竿ケースに於て、
上記ポケット内に、胴部の内方へ窪んだ凹状部を設けたことを特徴とする釣竿ケース。
【請求項２】
凹状部は、合成樹脂シートを変形させて一体に形成したことを特徴とする請求項１に記載の釣竿ケース。                                                                               
【発明の詳細な説明】
【技術分野】
【０００１】
本発明は、釣竿を収納する釣竿ケースに関する。
【背景技術】
【０００２】
従来、釣人は、壊れ易い釣竿を釣竿ケースに収容して釣場に携行している。
これら釣竿ケースは、釣竿を収容する筒状の胴部（ケース本体）にショルダーベルトや小物用のポケットが装着され、胴部の底部にボトムカップ（底体）が取り付けられている。
ところで、従来、この種の釣竿ケースは、ナイロン等の薄く軽い織布で胴部が形成されていたが、特許文献１に開示されるように、昨今、外部からの衝撃（例えば、岩場の角に衝突させたり誤って地面に落下させたりした場合等の衝撃）に対して、内部の釣竿を保護する緩衝効果のある材料で胴部を形成した釣竿ケースが知られている。
【０００３】
図６は特許文献１に開示された釣竿ケース、図７はその断面図を示し、図中、１は形状保持性に優れた厚手のシート３で筒状に成形された胴部で、その底部に、収容した釣竿の底抜けを防止する合成樹脂製の底体５が嵌合，縫着されている。
図７に示すようにシート３は、ポリウレタンからなる発泡材７の表面に、発泡材７より薄手で未発泡の塩化ビニルからなる表面材９が熱溶着された積層構造をなし、当該シート３を断面略Ｃ字状に湾曲させたリール収容部１１と、シート３を帯状に裁断してリール収容部１１に縫着した背面部１３とで胴部１が形成されている。
【０００４】
そして、背面部１３の一側とリール収容部１１の一側との間にスライドファスナー１５が縫着され、更に断面略Ｃ字状に湾曲させたリール収容部１１の外周面にポケット片１７を取り付けて、スライドファスナー１５付きのポケット１９が設けられている。
また、リール収容部１１の外側面に、年輪模様の凹部２１を設けてリール収容部１１が局部的な衝撃を緩和するように変形可能とすると共に、厚肉部２３で発泡材７の十分な弾性を確保して、釣竿ケース２５の胴部１が衝撃吸収性に富んだ構造となっている。
【０００５】
一方、特許文献２には、所定形状に裁断した１枚の発泡材のシートを筒状に湾曲させて胴部を形成するに当たり、シートを湾曲させ易く癖付けした釣竿ケースが開示されており、筒状に形成した胴部の底部に底体を取り付け、湾曲させたシート端部の突き合わせ部を釣竿取出し口としてこの突き合わせ部にスライドファスナーを取り付けると共に、胴部の外周面にポケット片を取り付けてポケットを設けている。
【０００６】
而して、これらの釣竿ケースによれば、緩衝効果のある発泡材で胴部が形成されているため、外部からの衝撃に対して内部の釣竿が確実に保護されることとなる。
【特許文献１】特開２００１−１９０１９６号公報
【特許文献２】特開２００４−１７３６３２号公報
【発明の開示】
【発明が解決しようとする課題】
【０００７】
しかし、図６の釣竿ケース２５の如く、断面略Ｃ字状に湾曲させた胴部１（リール収容部１１）の外周面にポケット片１７を取り付けてポケット１９を設け、また、特許文献２の釣竿ケースの如く筒状に湾曲させた胴部の外周面にポケット片を取り付けてポケットを設けた従来構造では、湾曲した胴部がポケットの内底部となるため、ポケットの容量が十分に確保できず、釣用の小物類しか収容することができないのが実情であった。
【０００８】
また、既述した発泡材に代え、発泡材でない合成樹脂からなるシートを筒状に湾曲させて胴部を形成し、当該胴部の外周面にポケット片を取り付けてポケットを設けた釣竿ケースも知られているが、この釣竿ケースにあっても、湾曲した胴部がポケット内底部を形成するため、同様にポケットの容量を十分に確保することができない不具合が指摘されていた。
【０００９】
本発明は斯かる実情に鑑み案出されたもので、胴部の外部に設けたポケットの十分な容量を確保した釣竿ケースを提供することを目的とする。
【課題を解決するための手段】
【００１０】
斯かる目的を達成するため、請求項１に係る発明は、筒状に形成された胴部の、少なくともポケットを設けた部位を合成樹脂シートで形成した釣竿ケースに於て、上記ポケット内に、胴部の内方へ窪んだ凹状部を設けたことを特徴とする。
そして、請求項２に係る発明は、請求項１に記載の釣竿ケースに於て、凹状部は、合成樹脂シートを変形させて一体に形成したことを特徴とする。
【発明の効果】
【００１１】
請求項１及び請求項２に係る発明によれば、ポケット内に、胴部の内方へ窪んだ凹状部を設けているため、従来に比し大きな容量のポケットが確保されることとなる。
従って、本発明によれば、釣用の小物類を始め、従来収容し難かった比較的大きな物をポケット内に容易に収容することが可能となって、釣竿ケースの実用性が向上することとなった。
【００１２】
また、斯様に胴部の内方へ窪んだ凹状部を設けても、胴部内には複数本の釣竿を収容するに十分な容量が維持でき、釣竿の収容に支障を来す虞もない。
そして、請求項２に係る発明によれば、合成樹脂シートを変形させて凹状部を一体に設けているため、凹状部からの胴部内への水の浸入が防止できると共に、凹状部を設けたことで胴部の潰れに対する強化を図ることができる。更に既存のものをそのまま用いることができ、新たな別部材を付加する必要もないため、製造も容易でコストもかかることがない利点を有する。
【発明を実施するための最良の形態】
【００１３】
以下、本発明の実施形態を図面に基づいて詳細に説明する。
図１乃至図４は請求項１及び請求項２に係る釣竿ケースの一実施形態を示し、図１に於て、２７は図２に示すように所定形状に裁断したシート２９を、図３の如く左右のシート端部２９ａ，２９ｂが突き合うように筒状に屈曲させて形成した釣竿ケース３１の胴部で、シート２９はポリウレタンやエチレン酢酸ビニル等の熱可塑性樹脂の合成樹脂で形成されているが、この合成樹脂は発泡材（独立気泡発泡材または連続気泡発泡材）または発泡材でないものでもよい。そして、その表裏にナイロンやポリプロピレン等の合成樹脂からなる薄い化粧布としての外布３３と内布３５が添着されている。
【００１４】
図２に示すように胴部２７の底部は、当該胴部２７より剛性の大きい合成樹脂で形成された断面略コ字状のボトムカップ３７内に差し込まれて、その側壁３９に全周が縫糸で縫着されて止着されている。そして、図３に示すように突き合わせたシート端部２９ａ，２９ｂ間が胴部２７の釣竿取入れ口／取出し口４１とされ、当該釣竿取入れ口／取出し口４１を胴部２７の頂部からボトムカップ３７に亘って開閉するスライドファスナー４３が、シート端部２９ａ，２９ｂ間に縫着されている。
【００１５】
そして、胴部２７の背面側外周面に、ショルダーベルト４５が胴部２７の長手方向に沿って取り付くと共に、ショルダーベルト４５と取付面を同じくしてその内側に、手提げ用のハンドル４７が胴部２７の長手方向に沿って取り付き、更に当該ショルダーベルト４５に隣接させてその側方外周面にスライドファスナー４９付きのポケット片５１を取り付けてポケット５３を設けているが、図２乃至図４に示すように本実施形態はシート２９を変形させて、上記ポケット５３内に胴部２７の内方へ窪んだ凹状部５５を設けたことを特徴とする。
【００１６】
図３及び図４に示すように凹状部５５は中央部５５ａが平坦で深く、周壁５５ｂが凹状部５５の内方へ傾斜した傾斜面となって、凹状部５５が底（中央部５５ａ）に向けて狭くなる受け皿形状に形成されている。そして、周壁５５ｂと中央部５５ａの境界で、凹状部５５の内面の方向が変移するように癖付けされており、この癖付けによって、凹状部５５が型くずれしないように形状が保持されている。そして、斯様に凹状部５５を設けても、凹状部５５は胴部２７の径の中央に達しない深さに形成しているので、複数本の釣竿を胴部２７内に収容するのに何ら支障を来すことのない十分な容量が胴部２７内に確保されている。
【００１７】
そして、凹状部５５はポケット片５１の平面視形状に対応して形成されており、その周縁部の胴部２７にポケット片５１の周縁部５１ａが止着されている。そして、ポケット片５１は胴部２７の外方へ突出するように設けられて、ポケット５３内を広くしている。
而して、上記凹状部５５は、図５に示すように凹状部５５の形状に沿ったキャビティ５７が上面に設けられた下型５９と、凹状部５５の形状に沿った凸部６１が下面に突設された上型６３を用いて形成され、胴部２７の製造に先立ち、図５の如く外布３３と内布３５が添着されたシート２９を下型５９上に配置した後、予め加熱した上型６３を下降させて、シート２９をキャビティ５７に沿って凸部６１で押圧，変形させて形成される。
【００１８】
この後、図２に示すように凹状部５５が形成されたシート２９を矢印方向へ屈曲し、その底部をボトムカップ３７内に差し込んで周壁部３９に糸で縫着した後、シート端部２９ａ，２９ｂ間にスライドファスナー４３を縫着し、ショルダーベルト４５や取っ手４７を取り付け、そして、凹状部５５の周縁部の胴部２７にポケット片５１の周縁部５１ａを止着してポケット５３を設ければよい。
【００１９】
本実施形態に係る釣竿ケース３１はこのように構成されているから、釣竿取入れ口／取出し口４１のスライドファスナー４３を開け閉めして胴部２７内への釣竿の取入れや取出しが行え、また、スライドファスナー４９を開け閉めしてポケット５３内への物の出し入れが行えるが、ポケット５３内には胴部２７の内方へ窪んだ凹状部５５がポケット５３全体に設けられているため、従来に比し大きな容量のポケット５３が確保されることとなる。
【００２０】
従って、本実施形態によれば、釣用の小物類を始め、従来収容し難かった比較的大きな物をポケット５３内に容易に収容することが可能となって、釣竿ケース３１の実用性が向上することとなった。
そして、斯様に胴部２７の内方へ窪んだ凹状部５５を設けても、胴部２７内には複数本の釣竿を収容するに十分な容量が維持されているから、釣竿の収容に支障を来すこともないし、また、シート２９を変形させて凹状部５５を一体に形成しているため、凹状部５５からの胴部２７内への水の浸入が防止できると共に、凹状部５５を設けたことで胴部２７の潰れに対する強化を図ることができる。更に既存のものをそのまま用いることができ、新たな別部材を付加する必要もないため、製造も容易でコストもかかることがない利点を有する。
【００２１】
尚、ポケット内に設ける凹状部の形状は上記凹状部５５に限定されるものではなく、必ずしも凹状部をポケット全体に設けなくてもよく、また、凹状部５５の中央部５５ａは、ポケット内に収納した物が収まるように凹凸を有するように形成してもよい。
また、上記実施形態は、発泡材のシート２９を筒状に屈曲させて胴部２７を形成した釣竿ケース３１に本発明を適用したものであるが、図６の如くリール収容部と背面部とで胴部を形成した釣竿ケースに適用できるし、熱可塑性樹脂からなる発泡材でないシートを筒状に湾曲させて胴部を形成した釣竿ケースにも適用可能であり、更にまた、ポケットを設けた部位を除く胴部の一部をナイロン等の薄く軽い織布で形成した釣竿ケースにも適用可能であって、これらの釣竿ケースに本発明を適用しても、上記実施形態と同様、所期の目的を達成することが可能である。
【図面の簡単な説明】
【００２２】
【図１】請求項１及び請求項２の一実施形態に係る釣竿ケースの正面図である。
【図２】図１に示す釣竿ケースの胴部の展開図である。
【図３】図１のIII−III線断面図である。
【図４】図３のIV−IV線断面図である。
【図５】凹状部の形成方法の説明図である。
【図６】従来の釣竿ケースの斜視図である。
【図７】図６に示す釣竿ケースの断面図である。
【符号の説明】
【００２３】
２７  胴部
２９  シート
３１  釣竿ケース
３３  外布
３５  内布
３７  ボトムカップ
４３，４９  スライドファスナー
５１  ポケット片
５３  ポケット
５５  凹状部
５５ａ  中央部
５５ｂ  周壁
５７  キャビティ
５９  下型
６１  凸部
６３  上型                                                                              
【図１】
2006149213.tif 000003
【図２】
2006149213.tif 000004
【図３】
2006149213.tif 000005
【図４】
2006149213.tif 000006
【図５】
2006149213.tif 000007
【図６】
2006149213.tif 000008
【図７】
2006149213.tif 000009